(57)【要約】【課題】本発明は、形状の異なる２種類のカードを挿入可能なカード用コネクタ装置において、幅広肉厚なカードと幅狭肉薄なカードを確実にガイドしてカード装着部に挿入できるカード用コネクタ装置を提供すること。【解決手段】本発明のカード用コネクタ装置１は、ハウジング２と、このハウジング２に形成した幅広肉厚な第１カード１５と幅狭肉薄な第２カード１６をハウジング２内部に挿入可能なカード挿入口２ａとを備え、このカード挿入口２ａの内側には、挿入される第１、第２カード１５、１６をガイド可能なガイド部材６が配設され、このガイド部材６には、第１カード１５を第１カード装着位置に案内可能な第１ガイド部６ｃと第２カード１６を第２カード装着位置に案内可能な第２ガイド部６ｄとが形成されている。【選択図】        図１
2004213505.tif 000002
【特許請求の範囲】
【請求項１】
ハウジングと、幅広肉厚な第１カードと幅狭肉薄な第２カードを前記ハウジング内部に挿入可能なカード挿入口とを備え、前記カード挿入口の内側には、挿入される前記第１、第２カードをガイド可能なガイド部材が配設され、前記ガイド部材には、前記第１カードを前記ハウジング内の第１カード装着位置に案内可能な第１ガイド部と前記第２カードを前記ハウジング内の第２カード装着位置に案内可能な第２ガイド部とが形成されていることを特徴とするカード用コネクタ装置。
【請求項２】
前記ガイド部材は、前記ハウジングに回動可能に支持されると共に前記第２ガイド部が前記第２カードを前記台２カード装着位置へ案内可能な状態である第１の姿勢に保持されており、この第１の姿勢において、前記第１カードを挿入すると、前記ガイド部材が前記第１カードで押されて回動し、前記第１ガイド部が前記第１カードを前記第１カード装着位置へ案内可能な状態である第２の姿勢に変換されることを特徴とする請求項１記載のカード用コネクタ装置。
【請求項３】
前記ガイド部材の回動を規制し、前記ガイド部材を前記第１の姿勢に保持する規制部材を配設し、前記ガイド部材が前記第１の姿勢にある時に、前記第１カードを挿入すると、前記第１カードの前端部側で前記規制部材が押圧されて前記ガイド部材の回動規制が解除され、
前記ガイド部材は、前記第２の姿勢に回動することを特徴とする請求項２記載のカード用コネクタ装置。
【請求項４】
前記規制部材は、弾性を有する金属板を折り曲げ形成され、前記カード挿入口の左右両側部寄りに配置されていることを特徴とする請求項３記載のカード用コネクタ装置。
【請求項５】
前記第１カードは、前記第２カードより長く形成され、前記ハウジングには、前記第１、第２カードにそれぞれ形成した複数の外部接触部に対応して、奥側に前記第１カードの前記各外部接触部が接触可能な複数の第１端子部材が配設され、前記カード挿入口に近い側の手前側に前記各第２カードの前記外部接触部が接触可能な複数の第２端子部材が配設されると共に前記第１カードを挿入する際に前記第２端子部材を前記第１カードと接触しない位置に押し下げ可能な押し上げ部材が配設されており、
前記ガイド部材が前記第１の姿勢にある時には、前記押し下げ部材が前記ガイド部材に保持されると共に前記各第２端子部材が前記第２カードの各外部接触部と接触可能であり、前記ガイド部材が前記第２の姿勢に変換されると、前記ガイド部材による前記押し下げ部材の保持が解除されて、前記押し下げ部材が前記第２端子部材を押し下げ可能になることを特徴とする請求項２乃至４のいずれかに記載のカード用コネクタ装置。
【発明の詳細な説明】
【０００１】
【発明の属する技術分野】
本発明はカード用コネクタ装置に係わり、特にパーソナルコンピュータ等の記憶媒体に用いられるＩＣカードや、デジタルカメラ等の電子機器に使用されるメモリーカード等を装着可能なカード用コネクタ装置に関する。
【０００２】
【従来の技術】
パーソナルコンピュータ（以後ＰＣと称する）やデジタルカメラ等の電子機器の増設記録装置として、内部にＩＣ（集積回路）を埋設したＩＣカードに、種々の情報の書き込み、あるいは読み出しを行うためにカード用コネクタ装置が一般的に用いられている。  このような従来のカード用コネクタ装置の記録媒体としてはＰＣカードやメモリーカード等の小型のカードが広く使用されるようになってきている。
【０００３】
このようなカードを装着可能なカード用コネクタ装置は、カードに対して必要な情報の書き込み、あるいは読み取りを行えるようになっているが、近年の小型のカードにおいては、厚さ寸法あるいは幅寸法が異なる種々のカードが販売されている。
これら種類の異なる複数のカードを使用可能な従来のカード用コネクタ装置を図３２〜図３５で説明すると、従来のカード用コネクタ装置５０は、幅広肉薄なカード５１および幅狭厚肉のカード５２を収納可能なスロット５３、５５が形成されたベース基板５６が配設されている。
【０００４】
前記ベース基板５６の上下面にそれそれ固定された上下の基板５７、５８が配設され、この上下の基板５７、５８には、複数の端子部材５９、６０、６１を有し、この端子部材５９、６０、６１のいずれかがカード５１、５２の外部接触部５１ａ、５２ａに接触可能になっている。
このような従来のカード用コネクタ装置５０は、幅広肉薄のカード５１がスロット５３にガイドされて装着可能になっており、幅狭肉厚のカード５２がスロット５５にガイドされて装着可能になっている。
【０００５】
【特許文献】
実案登録第３０７９２６３号公報
【０００６】
【発明が解決しようとする課題】
しかし、上述したような従来のカード用コネクタ装置５０は、幅広肉薄のカード５１および幅狭肉厚のカード５２であればガイド可能であるが、断面形状において包含される関係にある幅広肉厚のカードと幅狭肉薄のカードだとガイドが難しいという問題があった。
【０００７】
本発明は前述したような問題点に鑑みてなされたもので、形状の異なる複数種類のカードを挿入可能なカード用コネクタ装置において、幅広肉厚なカードと幅狭肉薄なカードを確実にガイドしてカード装着部に挿入できるカード用コネクタ装置を提供することを目的とする。
【０００８】
【課題を解決するための手段】
上記課題を解決するための第１の解決手段として本発明のカード用コネクタ装置は、ハウジングと、幅広肉厚な第１カードと幅狭肉薄な第２カードを前記ハウジング内部に挿入可能なカード挿入口とを備え、前記カード挿入口の内側には、挿入される前記第１、第２カードをガイド可能なガイド部材が配設され、前記ガイド部材には、前記第１カードを前記ハウジング内の第１カード装着位置に案内可能な第１ガイド部と前記第２カードを前記ハウジング内の第２カード装着位置に案内可能な第２ガイド部とが形成されていることを特徴とする。
【０００９】
また、上記課題を解決するための第２の解決手段として、前記ガイド部材は、前記ハウジングに回動可能に支持されると共に前記第２ガイド部が前記第２カードを前記台２カード装着位置へ案内可能な状態である第１の姿勢に保持されており、この第１の姿勢において、前記第１カードを挿入すると、前記ガイド部材が前記第１カードで押されて回動し、前記第１ガイド部が前記第１カードを前記第１カード装着位置へ案内可能な状態である第２の姿勢に変換されることを特徴とする。
【００１０】
また、上記課題を解決するための第３の解決手段として、前記ガイド部材の回動を規制し、前記ガイド部材を前記第１の姿勢に保持する規制部材を配設し、前記ガイド部材が前記第１の姿勢にある時に、前記第１カードを挿入すると、前記第１カードの前端部側で前記規制部材が押圧されて前記ガイド部材の回動規制が解除され、前記ガイド部材は、前記第２の姿勢に回動することを特徴とする。
【００１１】
また、上記課題を解決するための第４の解決手段として、前記規制部材は、弾性を有する金属板を折り曲げ形成され、前記カード挿入口の左右両側部寄りに配置されていることを特徴とする。
【００１２】
また、上記課題を解決するための第５の解決手段として、前記第１カードは、前記第２カードより長く形成され、前記ハウジングには、前記第１、第２カードにそれぞれ形成した複数の外部接触部に対応して、奥側に前記第１カードの前記各外部接触部が接触可能な複数の第１端子部材が配設され、前記カード挿入口に近い側の手前側に前記各第２カードの前記外部接触部が接触可能な複数の第２端子部材が配設されると共に前記第１カードを挿入する際に前記第２端子部材を前記第１カードと接触しない位置に押し下げ可能な押し上げ部材が配設されており、
前記ガイド部材が前記第１の姿勢にある時には、前記押し下げ部材が前記ガイド部材に保持されると共に前記各第２端子部材が前記第２カードの各外部接触部と接触可能であり、前記ガイド部材が前記第２の姿勢に変換されると、前記ガイド部材による前記押し下げ部材の保持が解除されて、前記押し下げ部材が前記第２端子部材を押し下げ可能になることを特徴とする。
【００１３】
【発明の実施の形態】
以下、本発明の実施の形態のカード用コネクタ装置を図１〜図３１に基づいて説明する。図１〜図４は本発明のカード用コネクタ装置の構成を説明する図であり、図５〜図８は本発明に係わるハウジングを説明する図であり、図９〜図１２は本発明に係わるガイド部材を説明する図であり、図１３〜図１７は本発明に係わる押し下げ部材を説明する図であり、図１８は本発明に係わる第１カードを説明する図であり、図１９は本発明に係わる第２カードを説明する図であり、図２０〜図２５は本発明に係わる第２カードの装着動作を説明する図であり、図２６〜図３１は本発明に係わる第１カードの装着動作を説明する図である。
【００１４】
まず、本発明の１実施の形態のカード用コネクタ装置１は、図１に示すように、外殻を構成するハウジング２を有し、このハウジング２は、樹脂材料等の絶縁材からなり外形が略矩形状に形成されている。
前記ハウジング２は、図５、６に示すように、幅寸法Ａのカード挿入口２ａが手前側に形成されている。また、ハウジング２の左右外側の側壁２ｂ、２ｂには、図８に示すような２本の傾斜壁２ｃがそれぞれ形成されている。
また、左右の側壁２ｂ、２ｂは、幅寸法Ａのカード挿入口２ａ寄りが幅広に形成されて、この部分に後述するガイド部材６を回動自在に支持可能な支持溝２ｄが形成されている。また、ハウジング２は、図８に示す傾斜壁２ｃの左端部側でハウジング２の上部側に段部２ｍが形成され、この段部２ｍに後述する押し下げ部材７を上昇状態で保持可能になっている。
【００１５】
また、幅寸法Ａのカード挿入口２ａには、弾性を有する金属板を折り曲げて形成した一対の規制部材３が所定の間隔で配設されている。この規制部材３は、図７に示すように、一端部側の基部３ａがハウジング２の第１桟部２ｅにインサート成型等で埋設されて片持ち支持され、他端部側の自由端状のガイド部３ｂがカード挿入口２ａに位置している。
そして、ガイド部３ｂは、略Ｖ字状に折り曲げされてカード挿入口２ａの底面から所定高さで突出しており、カード挿入口２ａに挿入される後述する第２カード１６の高さ方向をガイド可能になっている。
また、一対の規制部材３は、基部３ａとガイド部３ｂとの間に、後述するガイド部材６の回動を規制可能な回動規制部３ｃがそれぞれ形成されている。
【００１６】
また、ハウジング２の奥側の第２桟部２ｆには、弾性を有する金属板からなる複数の第２端子部材４が埋設されて、後述する第２カード１６の外部接触部が接触可能になっている。また、ハウジング２の奥壁２ｇには、弾性を有する金属板からなる複数の第１端子部材５が埋設されて、端子部５ａがハウジング２外部に導出されている。また、第１端子部材５は、図７、８に示すように、先端部５ｂがハウジング２に形成した鈎状の端子支持部２ｈに弾接して、所定高さ以上の動きが規制されている。
また、ハウジング２の左右両側壁２ｂ、２ｂの奥壁２ｇ寄りには、後述する押し下げ部材７および第１スライド部材９が位置するスライド溝２ｊが所定深さで縦長状に形成され、奥壁２ｇからスライド溝２ｊ内に、棒状のバネ支持部２ｋ、２ｋが突出形成されている。
【００１７】
また、ハウジング２の支持溝２ｄには、カード挿入口２ａから挿入される後述する第１、第２カード１５、１６をガイド可能なガイド部材６が回動自在に支持されている。前記ガイド部材６を図９〜図１２に基づいて説明すると、ガイド部材６は、図９に示すように、左右両端部に、ハウジング２の支持溝２ｄに支持可能な支持部６ａ、６ａが突出形成され、この左右の支持部６ａ、６ａに挟まれた間にカード受け部６ｂが形成され、このカード受け部６ｂには、後述する第１カード１５をガイド可能な、図１２に示すように、凹状の幅寸法Ａの第１ガイド部６ｃと、この第１ガイド部６ｃと９０度回転させた側に後述する第２カード１６をガイド可能な図９に示すように、凹状の幅寸法Ｂの第２ガイド部６ｄとが形成されている。
【００１８】
前記第１ガイド部６ｃは、左右の第１側壁６ｅ、６ｅに挟まれた間に第１壁面６ｆを有して幅寸法Ａに形成されている。また、第２ガイド部６ｄは、左右の第２側壁６ｇ、６ｇに挟まれた間に第２壁面６ｈを有して幅寸法Ｂ形成されている。
前記幅寸法Ａの第１ガイド部６ｃは、ハウジング２側のカード挿入口２ａの幅寸法と同寸法に形成されている。
そして、ガイド部材６のカード受け部６ｂは、図１１に示すように、第１壁面６ｆと第２壁面６ｈとが直交して形成されている。また、カード受け部６ｂの裏側で第１壁面６ｆと対向する側には、後述する押し下げ部材７を保持可能な溝状の保持部６ｊが形成されている。
【００１９】
このようなガイド部材６は、図１に示すように、支持部６ａに捻りコイルバネ６ｋが巻回され、この状態の支持部６ａが、ハウジング２の支持溝２ｄに支持されて回動可能になっている。
そして、ガイド部材６は、捻りコイルバネ６ｋの付勢力によって、図３に示すように、支持部６ａを中心として反時計回り方向に弾性付勢されている。
また、後述する第１、第２カード１５、１６が挿入される前の初期状態におけるガイド部材６は、図１、２、３に示すように、幅寸法Ｂの第２ガイド部６ｄがカード挿入口２ａに位置した状態の第１の姿勢となって、反時計回り方向への回動は規制されいるが、時計回り方向への回動は可能な状態になっている。
【００２０】
そして、初期状態において第１の姿勢となっているガイド部材６は、図３に示すように、カード受け部６ｂの第１壁面６ｆが規制部材３の回動規制部３ｃに当接しているので、ガイド部材６が時計回り方向に回動しないようになっている。また、ガイド部材６が第１の姿勢の時に、カード挿入口２ａから後述する第１カード１５を挿入すると、規制部材３のガイド部３ｂが押し下げられて、回動規制部３ｃによる時計回り方向の回動規制が解除される。
そして、ガイド部材６は、挿入される第１カード１５に押されて、第１の姿勢から９０度時計回り方向に回動して第２の姿勢になるようになっている。
この第２の姿勢となったガイド部材６は、第１ガイド部６ｃがカード挿入口２ａに位置して、カード挿入口２ａから挿入されてくる後述する第１カード１５をガイド可能になっている。
【００２１】
また、図３に示すように、第１の姿勢にあるガイド部材６の保持部６ｊには、押し下げ部材７が係合支持されている。この押し下げ部材７は、樹脂材料等からなり図１３〜図１７に示すように、外形が略矩形状に形成されている。
前記押し下げ部材７は図１３〜図１５に示すように、図示下方に鈎状の係合部７ａが突出形成され、この係合部７ａが、図３に示すように、ガイド部材６の保持部６ｊに係合可能になっている。
【００２２】
また、押し下げ部材７には、ガイド部材６の第２ガイド部６ｄと同じ幅寸法Ｂの第２カードガイド部７ｂが所定深さで形成され、この第２カードガイド部７ｂの奥側に、第２カードガイド部７ｂにガイドされて挿入される後述する第２カード１６が当接可能なカード当接壁７ｃが形成されている。
また、第２カードガイド部７ｂの外側には、ガイド部材６の第１ガイド部６ｃと同じ幅寸法Ａの第１カードガイド部７ｄが、第２カードガイド部７ｂより浅く形成されて、手前側から奥側のカード当接壁７ｃ上まで通して形成されている。
【００２３】
また、第１、第２カードガイド部７ｄ、７ｂが形成された部分の手前側には、テーパ面７ｅが形成されて、ガイド部材６を通過して挿入されてくる後述する第１カード１５の前端部１５ａがテーパ面７ｅを押し下げ可能になっている。
また、押し上げ部材７は、図１３に示すように、カード当接壁７ｃの図示左寄りの位置に、所定長さで図示下方に突出する誤挿入防止部７ｆが形成されて、第２カード１６が誤挿入されたときに操作者が検出可能になっている。
また、図１３に示す押し下げ部材７には、幅寸法Ａの第１カードガイド部７ｄの左側に、所定の幅寸法で縦長状のスライダー収納部７ｇが形成され、このスライダー収納部７ｇに後述する第２スライド部材１２が収納されて、図示上下方向にスライド可能に位置するようになっている。
【００２４】
また、カード当接壁７ｃに接する状態で、矩形状で所定の大きさの開口部７ｈが形成されて、この部分に複数の第２端子部材４が位置するようになっている。また、図１３に示す押し下げ部材７の左右両端面には、押し下げ部材７をハウジング２の傾斜壁２ｃに係合支持可能なガイド突起８が形成されている。このガイド突起８は、斜め方向に所定の隙間寸法Ｃを有して対向する一対の突部８ａ、８ｂ、および一対の突部８ａ、８ｃとからなっている。
【００２５】
このような押し下げ部材７は、図３に示すように、ガイド部材６が初期状態の第１の姿勢となっているときは、係合部７ａがガイド部材６の保持部６ｊに係合していると共に、カード当接壁７ｃの下面が複数の第２端子部材４に押し上げられ、突部８ｂ、８ｃが段部２ｍに位置して、所定の上昇位置に支持されている。また、押し下げ部材７は、後述する第１カード１５が挿入されてガイド部材６が第２の姿勢に回動すると、係合部７ａの係合が外れると共に段部２ｍから突部８ｂ、８ｃが外れて、ハウジング２の傾斜壁２ｃに沿って所定の降下位置まで降下するようになっている。
【００２６】
また、ハウジング２の奥側で左右のスライド溝２ｊ、２ｊには、図１に示すような、上面視の形状が略コ字状の一方と他方のガイド部９ａ、９ｂを有する第１スライド部材９が、図示上下方向にスライド可能に配設されている。
そして、第１スライド部材９は、挿入されてくる第１カード１５の先端部が一方と他方のガイド部９ａ、９ｂにガイド可能になっていると共に、ハウジング２の奥壁２ｇ側にスライド可能になっている。
また、第１スライド部材９は、図１に示す左端部寄りの位置にカム溝９ｃが形成され、第１スライド部材９がスライドすると、カム溝９ｃ内を、ハウジング２側に一端部側が支持された第１摺動ピン１０の他端部が摺動可能になっている。
【００２７】
そして、第１スライド部材９は、カード挿入口２ａから挿入した後述する第１カード１５が所定の第１カード装着位置に位置すると、第１摺動ピン１０の他端部がカム溝９ｃ内のロック部（図示せず）に係合して、第１スライド部材９の動きがロックされるようになっている。
また、第１スライド部材９は、ハウジング２のバネ支持部２ｋに支持されたコイルバネ１１によって、図示下方側に弾性付勢されている。また、第１スライド部材９は、一方と他方のガイド部９ａ、９ｂが異なった形状になっているので、第１カード１５の誤挿入防止が可能になっている。
【００２８】
また、押し下げ部材７のスライダー収納部７ｇには、図１に示すような第２スライド部材１２がスライダー収納部７ｇに沿ってスライド可能に収納されている。
前記第２スライド部材１２には、後述する第２カード１６の一側部側をガイド可能なカードガイド部１２ａと、カム溝１２ｂとが形成されている。
また、第２スライド部材１２がスライドすると、カム溝１２ｂ内を、押し下げ部材７側に一端部側が支持された第２摺動ピン１３の他端部が摺動可能になっている。
【００２９】
また、第２スライド部材１２は、後述する第２カード１６が所定の第２カード装着位置に位置すると、第２摺動ピン１３の他端部がカム溝１２ｂ内のロック部（図示せず）に係合してロックされるようになっている。
また、第２スライド部材１２は、スライダー収納部７ｇ内のコイルバネ１４によって、図示下方側に弾性付勢されている。
このような本発明のカード用コネクタ装置１は、ハウジング２の上方がカバー部材（図示せず）で閉じられて、内部に挿入される第１、第２カード１５、１６の上面側をガイドするようになっている。
【００３０】
前記第１カード１５は、図１８に示すように、後述する第２カード１６より幅広肉厚に形成され、長さも第２カード１６より長く形成されている。
このような第１カード１５は、前端部１５ａ側の裏面１５ｂに第１端子部材５に接触可能な複数の外部接触部１５ｃが露出して整列形成されている。
また、前端部１５ａの一方のコーナ部１５ｄが円弧状にカットされて、前端部１５ａが非対称に形成されている。そのために、第１カード１５を第１スラーダー９に挿入したときの逆挿入を検出可能になっている。
【００３１】
また、第２カード１６は、図１９に示すように、第１カード１５より幅狭肉薄に形成され、長さが第１カード１５より短く形成されている。
このような第２カード１６は、前端部１６ａ側の裏面１６ｂに第２端子部材４が接触可能な複数の外部接触部１６ｃが露出して整列形成されている。
また、図１８Ｃに示す前端部１６ａの左側の一方のコーナ部１６ｄには、第２スライド部材１２のカードガイド部１２ａに当接可能な当接部１６ｅと、第２スライド部材１２の誤挿入防止部７ｆが係合可能な溝部１６ｆとが所定の深さと幅寸法で形成されている。
【００３２】
即ち、第２スライド部材１２には、誤挿入防止部７ｆに対応する位置に溝部１６ｆが形成されているので、第２カード１６の逆挿入を防止するようになっている。
前記ハウジング２のカード挿入口２ａに第１、第２カード１５、１６を挿入する前の状態においては、図２に示すように、ガイド部材６の第２ガイド部６ｄが、カード挿入口２ａに位置した第１の姿勢となっている。
【００３３】
前述したようなガイド部材６が第１の姿勢となっている初期状態における本発明のカード用コネクタ装置１は、ガイド部材６が第１の姿勢となって、押し下げ部材７が図２３に示すように、上昇位置で支持されている。この上昇位置にある押し上げ部材７は、係合部７ａがガイド部材６の保持部６ｊに係合すると共に、カード当接壁７ｃが複数の第２端子部材４に押し上げられて、突出壁８ｂ、８ｃが、傾斜壁２ｃの段部２ｍに支持されている。
【００３４】
このような構成の本発明のカード用コネクタ装置１に、第２カード１６を装着する動作を図２０〜図２５に基づいて説明すると、まず、第２カード１６の前端部１６ａをハウジング２のカード挿入口２ａに挿入すると、前端部１６ａ側が第１の姿勢にあるガイド部材６の幅寸法Ｂの第２ガイド部６ｄにガイドされて、ハウジング２内部に侵入する。
この時の第２カード１６は、一方のコーナ部１６ｄの当接部１６ｅが第２スライド部材１２のカードガイド部１２ａに当接して第２スライド部材１２を押圧し、第２スライド部材１２が押し下げ部材７のカード当接壁７ｃ側にスライドする。
【００３５】
このことにより、第２カード１６は、前端部１６ａ側の幅方向が押し下げ部材７の幅寸法Ｂの第２カードガイド部７ｂにガイドされると共に、溝部１６ｆに押し下げ部材７の誤挿入防止部７ｆが侵入して位置する。
そして、第２カード部材１６の外部接触部１６ｃが第２端子部材４に接触すると、カム溝１２ｂに位置する第２摺動ピン１３によって、第２スライド部材１２の動きがロックされて、第２カード１６が、図２４、２５に示すように、第２カード装着位置に位置する。
前記第２カード１６が第２カード装着位置に位置することで、第２端子部材４を介して、第２カードに情報に書き込み、または読み出しを行うことができる。
【００３６】
また、第２カード装着位置に位置する第２カード１６を排出（イジェクト）するは、第２カード１６を一旦所定量奥側に押し込む（プッシュ・プッシュする）と、第２摺動ピン１３による第２スライド部材１２のロックが解除されて、コイルバネ１４の付勢力で、第２スライド部材１２がカード挿入口２ａ側に押されると共に第２カード装着位置にあった第２カード１６が図２０に示す位置まで排出される。
そして、カード挿入口２ａから外部に飛び出した第２カード１６を、」操作者が取り出すようになっている。
【００３７】
また、ガイド部材６が第１の姿勢となっている状態の本発明のカード用コネクタ装置１に、第１カード１５を装着する動作を図２６〜図２３１に基づいて説明する。まず、図１に示すガイド部材６が第１の姿勢となっているカード挿入口２ａに第１カード１５を挿入する。すると、第１カード１５の前端部１５ａが、図９に示すガイド部材６の第１壁面６ｆを押す。
このことで、ガイド部材６は、支持部６ａを支点として時計回り方向に回動して保持部６ｊと係合部７ａとの係合が外れると共に、第１ガイド部６ｃがカード挿入口２ａに位置して、挿入されてくる第１カード１５がガイドされる。
【００３８】
そして、第１ガイド部６ｃでガイドされた第１カード１５をハウジング２の奥側に更に挿入すると、第１カード１５の前端部１５ａが、押し下げ部材７のテーパー面７ｅを押圧する。
すると、押し下げ部材７の突出壁８ｂ、８ｃが傾斜壁２ｃの段部２ｍから外れると共に、突部８ａ、８ａが傾斜壁２ｃの裏面に沿って図２９に示すように降下する。
このことにより、第１カード１５は、押し下げ部材７の第１カードガイド部７ｄにガイドされて、ハウジング２の奥側に侵入して、前端部１５ａが第１スライド部材９一方と他方のガイド部９ａ、９ｂにガイドされる。
【００３９】
そして、第１カード１５を更に奥側に押し込むと、第１スライド部材９がコイルバネ１１の付勢力に抗して奥側にスライドする。このことにより、第１カード部材１５の外部接触部１５ｃが第１端子部材５に接触する。
同時に、第１ＵＳライダー９のカム溝９ｃに位置する第１摺動ピン１０によって、第１スライド部材９の動きがロックされて、第１カード１５が、図３０、３１に示すような第１カード装着位置に位置する。
前記第２カード１５が第１カード装着位置に位置することで、第１端子部材５を介して、第１カードに情報に書き込み、または読み出しを行うことができる。
【００４０】
また、第１カード装着位置に位置する第１カード１５を排出するは、第１カード１５を一旦所定量奥側に押し込む（プッシュ・プッシュする）と、第１摺動ピン１０による第１スライド部材９のロックが解除されて、コイルバネ１１の付勢力で、第１スライド部材９がカード挿入口２ａ側に押されると共に第１カード装着位置にあった第１カード１５が図２６に示す位置まで排出される。
そして、カード挿入口２ａから外部に飛び出した第１カード１５を操作者が取り出すようになっている
【００４１】
このような本発明のカード用コネクタ装置１は、断面形状において大きさが包含される、幅広肉厚な第１カード１５と幅狭肉薄の第２カード１６とを、ガイド部材６と押し下げ部材７とによって確実にガイドして、それぞれのカード装着位置に案内することができる。
【００４２】
【発明の効果】
以上説明したように、カード挿入口の内側には、挿入される第１、第２カードをガイド可能なガイド部材が配設され、ガイド部材には、第１カードを第１カード装着位置に案内可能な第１ガイド部と前記第２カードを前記第２カード装着位置に案内可能な第２ガイド部とが形成されているので、断面形状において大きさが包含される関係にある、幅広肉厚な第１カードと幅狭肉薄な第２カードを確実にガイドして装着することができる。
【００４３】
また、第２ガイド部がカード挿入口側に位置している時を第１の姿勢とし、この第１の姿勢において、カード挿入口から第１カードを挿入すると、ガイド部材が第１カードの押されて回動し、第１ガイド部がカード挿入口側に位置して、ガイド部材が第２の姿勢になるので、カード挿入口から挿入する時の第１、第２カードを確実にガイドすることができる。
また、第１、第２カード装着位置に装着する２種類のカードの中心をそろえて第１、第２カード装着位置に装着することができ、カード装着時の見栄えを良くすることができる。
【００４４】
また、規制部材には、カード挿入口から挿入される第２カードの高さ方向をガイド可能なガイド部を有し、ガイド部材が第１の姿勢の時に、カード挿入口から第１カードを挿入すると、第１カードの前端部側が規制部材のガイド部を押し下げて回動規制を解除し、ガイド部材が所定角度回動して第２の姿勢になるので、規制部材によって、第２カード挿入時はガイド部材の回動が規制されて第２カードを確実にガイドすると共に、第１カードの挿入時はガイド部材の回動規制を容易に解除して第１カードをガイドすることができる。
【００４５】
また、規制部材は、弾性を有する金属板を折り曲げ形成され、カード挿入口の左右両側部寄りにガイド部が位置しているので、第２カードの高さ方向を規制部材のガイド部で確実にガイドできる。
【００４６】
また、ガイド部材が第１の姿勢にある時の押し下げ部材は、ガイド部材に保持されて第２端子部材が第２カードの外部接触部と接触可能になっており、ガイド部材が第２の姿勢に回動すると、押し下げ部材の保持が解除されて第２端子部材を押し下げ可能になっているので、第１カードを挿入する時の第２端子部材４は、押し下げ部材で押し下げられて、第１カードに接触しなようになっている。
即ち、第１カード挿入時に、第１カードが手前側に配設された第２端子部材と擦れて摩耗することを防止できる。
【図面の簡単な説明】
【図１】本発明のカード用コネクタ装置の構成を説明する図である。
【図２】本発明のカード用コネクタ装置の構成を説明する図である。
【図３】本発明のカード用コネクタ装置の構成を説明する図である。
【図４】本発明のカード用コネクタ装置の構成を説明する図である。
【図５】本発明に係わるハウジングを説明する図である。
【図６】本発明に係わるハウジングを説明する図である。
【図７】本発明に係わるハウジングを説明する図である。
【図８】本発明に係わるハウジングを説明する図である。
【図９】本発明に係わるガイド部材を説明する図である。
【図１０】本発明に係わるガイド部材を説明する図である。
【図１１】本発明に係わるガイド部材を説明する図である。
【図１２】本発明に係わるガイド部材を説明する図である。
【図１３】本発明に係わる押し下げ部材を説明する図である。
【図１４】本発明に係わる押し下げ部材を説明する図である。
【図１５】本発明に係わる押し下げ部材を説明する図である。
【図１６】本発明に係わる押し下げ部材を説明する図である。
【図１７】本発明に係わる押し下げ部材を説明する図である。
【図１８】本発明に係わる第１カードを説明する図である。
【図１９】本発明に係わる第２カードを説明する図である。
【図２０】本発明に係わる第２カードの装着動作を説明する図である。
【図２１】本発明に係わる第２カードの装着動作を説明する図である。
【図２２】本発明に係わる第２カードの装着動作を説明する図である。
【図２３】本発明に係わる第２カードの装着動作を説明する図である。
【図２４】本発明に係わる第２カードの装着動作を説明する図である。
【図２５】本発明に係わる第２カードの装着動作を説明する図である。
【図２６】本発明に係わる第１カードの装着動作を説明する図である。
【図２７】本発明に係わる第１カードの装着動作を説明する図である。
【図２８】本発明に係わる第１カードの装着動作を説明する図である。
【図２９】本発明に係わる第１カードの装着動作を説明する図である。
【図３０】本発明に係わる第１カードの装着動作を説明する図である。
【図３１】本発明に係わる第１カードの装着動作を説明する図である。
【図３２】従来のカード用コネクタ装置を説明する図である。
【図３３】従来のカード用コネクタ装置を説明する図である。
【図３４】従来のカード用コネクタ装置を説明する図である。
【図３５】従来のカード用コネクタ装置を説明する図である。
【符号の説明】
１  本発明のカード用コネクタ装置
２  ハウジング
２ａ  カード挿入口
２ｃ  傾斜壁
３  規制部材
３ｂ  ガイド部
３ｃ  回動規制部
４  第２端子部材
５  第１端子部材
６  ガイド部材
６ｃ  第１ガイド部
６ｄ  第２ガイド部
７  押し下げ部材
７ｂ  第２カードガイド部
７ｄ  第１カードガイド部
７ｅ  テーパ部
７ｆ  誤挿入防止部
７ｇ  スライダー収納部
８  ガイド突起
８ａ  突部
８ｂ  突出壁
８ｃ  突出壁
９  第１スライド部材
９ａ  一方のガイド部
９ｂ  他方のガイド部
９ｃ  カム溝
１０  第１摺動ピン
１１  コイルバネ
１２  第２スライド部材
１３  第２摺動ピン
１４  コイルバネ
１５  第１カード
１５ａ  前端部
１５ｂ  裏面
１５ｃ  外部接触部
１６  第２カード
１６ａ  前端部
１６ｂ  裏面
１６ｃ  外部接触部
１６ｅ  当接部
１６ｆ  溝部
【図１】
2004213505.tif 000003
【図２】
2004213505.tif 000004
【図３】
2004213505.tif 000005
【図４】
2004213505.tif 000006
【図５】
2004213505.tif 000007
【図６】
2004213505.tif 000008
【図７】
2004213505.tif 000009
【図８】
2004213505.tif 000010
【図９】
2004213505.tif 000011
【図１０】
2004213505.tif 000012
【図１１】
2004213505.tif 000013
【図１２】
2004213505.tif 000014
【図１３】
2004213505.tif 000015
【図１４】
2004213505.tif 000016
【図１５】
2004213505.tif 000017
【図１６】
2004213505.tif 000018
【図１７】
2004213505.tif 000019
【図１８】
2004213505.tif 000020
【図１９】
2004213505.tif 000021
【図２０】
2004213505.tif 000022
【図２１】
2004213505.tif 000023
【図２２】
2004213505.tif 000024
【図２３】
2004213505.tif 000025
【図２４】
2004213505.tif 000026
【図２５】
2004213505.tif 000027
【図２６】
2004213505.tif 000028
【図２７】
2004213505.tif 000029
【図２８】
2004213505.tif 000030
【図２９】
2004213505.tif 000031
【図３０】
2004213505.tif 000032
【図３１】
2004213505.tif 000033
【図３２】
2004213505.tif 000034
【図３３】
2004213505.tif 000035
【図３４】
2004213505.tif 000036
【図３５】
2004213505.tif 000037